(57)【要約】  本発明は、その代表種子がＮＣＩＭＢ受託番号４１７６３の下に寄託された、ナソノビア・リビスニグリ  バイオタイプ１（Ｎｒ：１）に対して耐性のレタス植物（ラクツカ・サティバ  Ｌ．）に関する。かかるレタス植物は、レタス植物を、シードロット１０Ｇ．９１３５６９の種子、その代表種子はＮＣＩＭＢ受託番号４１７６３の下にＮＣＩＭＢに寄託された、から生長する植物と交雑し、ナソノビア・リビスニグリ  バイオタイプ１（Ｎｒ：１）に対して耐性である植物を、好ましくは交雑のＦ２子孫において選択することにより、獲得できる。【特許請求の範囲】
【請求項１】
ナソノビア・リビスニグリ  バイオタイプ１（Ｎｒ：１）に対する耐性を付与する遺伝的決定因子をそのゲノムに有するレタス植物（ラクツカ・サティバ  Ｌ．）であって、その遺伝的決定因子が、その代表サンプルがＮＣＩＭＢ受託番号４１７６３の下に寄託された種子、に存在する、レタス植物。
【請求項２】
ナソノビア・リビスニグリ  バイオタイプ１（Ｎｒ：１）に対する耐性を付与する遺伝的決定因子をそのゲノムに有する、請求項１に記載のレタス植物であって、その植物が、シードロット１０Ｇ．９１３５６９の種子、その代表種子はＮＣＩＭＢ受託番号４１７６３の下にＮＣＩＭＢに寄託された、から生長する植物を別の植物と交雑し、ナソノビア・リビスニグリ  バイオタイプ１（Ｎｒ：１）に対して耐性である植物を、好ましくは、交雑のＦ２子孫において、選択することにより獲得できる、レタス植物。
【請求項３】
感受性のコントロール植物と比べてＮｒ：１に対して耐性であり、かつ、ナソノビア・リビスニグリ  バイオタイプ１（Ｎｒ：１）に対する耐性を付与する遺伝的決定因子をそのゲノムに有する、請求項１または２に記載のレタス植物であって、その植物が、レタス植物を、シードロット１０Ｇ．９１３５６９の種子、その代表種子はＮＣＩＭＢ受託番号４１７６３の下にＮＣＩＭＢに寄託された、から生長する植物と交雑し、Ｎｒ：１に対して耐性である植物を、Ｆ１を自家受粉した後に獲得される、交雑のＦ２子孫において、選択することにより獲得できる、レタス植物。
【請求項４】
請求項１〜３のいずれか一項に記載のレタス植物の種子であって、該種子から生長するレタス植物は、そのゲノムにおける、ナソノビア・リビスニグリ  バイオタイプ１（Ｎｒ：１）に対する耐性を付与する遺伝的決定因子の存在の結果として、Ｎｒ：１に対して耐性であって、その決定因子がＮＣＩＭＢ受託番号４１７６３を有する種子に存在する、種子。
【請求項５】
請求項１〜４のいずれかに記載の植物または種子の子孫であって、その子孫が、そのゲノムにおける、ＮＣＩＭＢ受託番号４１７６３を有する種子において存在する、ナソノビア・リビスニグリ  バイオタイプ１（Ｎｒ：１）に対する耐性を付与する遺伝形質の存在の結果として、Ｎｒ：１に対して耐性である、植物の子孫または種子。
【請求項６】
有性生殖に適した、請求項１〜５のいずれか一項に記載の植物の繁殖材料、特に、小胞子、花粉、子房、胚珠、胚のうおよび卵細胞であって、該繁殖材料は、ＮＣＩＭＢ受託番号４１７６３を有する種子に存在する、ナソノビア・リビスニグリ  バイオタイプ１（Ｎｒ：１）に対する耐性を付与する遺伝形質を担持する、繁殖材料。
【請求項７】
無性生殖に適した、請求項１〜５のいずれか一項に記載の植物の植物部分、特に、挿し木、根、茎、細胞、プロトプラスト、および組織培養物であって、該繁殖材料は、ＮＣＩＭＢ受託番号４１７６３を有する種子に見出される、ナソノビア・リビスニグリ  バイオタイプ１（Ｎｒ：１）に対する耐性を付与する遺伝形質を担持する、植物部分。
【請求項８】
請求項１〜５のいずれか一項に記載のレタス植物の球であって、そのレタス植物が、そのゲノムにおける、ナソノビア・リビスニグリ  バイオタイプ１（Ｎｒ：１）に対する耐性を付与する遺伝的決定因子の存在の結果として、ナソノビア・リビスニグリ  バイオタイプ１（Ｎｒ：１）に対して耐性であり、その決定因子はＮＣＩＭＢ受託番号４１７６３を有する種子に存在する、レタス植物の球。
【請求項９】
請求項８に記載のレタスの球またはその部分を含む食品。
【請求項１０】
部分が葉またはその部分である、請求項８に記載の食品。
【請求項１１】
ナソノビア・リビスニグリ・バイオタイプ１（Ｎｒ：１）に対する耐性をナソノビア・リビスニグリ・バイオタイプ１（Ｎｒ：１）に感受性である植物に付与するための育種における、ラクツカ・サティバ１０Ｇ．９１３５６９、その代表種子はＮＣＩＭＢ受託番号４１７６３の下に寄託された、の使用。
【発明の詳細な説明】
【技術分野】
【０００１】
本発明は、レタスアブラムシ、ナソノビア・リビスニグリ（モズレー）（Ｎａｓｏｎｏｖｉａ  ｒｉｂｉｓｎｉｇｒｉ（Ｍｏｓｌｅｙ））に対して耐性である、レタス（ラクツカ・サティバ  Ｌ．（Ｌａｃｔｕｃａ  ｓａｔｉｖａ  Ｌ．））に関する。本発明はさらに、同様の耐性を示す、植物の部分、特に、種子および他の繁殖材料（ｐｒｏｐａｇａｔｉｏｎ  ｍａｔｅｒｉａｌ）、ならびに該植物の子孫（ｐｒｏｇｅｎｙ）に関する。
【背景技術】
【０００２】
レタスアブラムシ（ナソノビア・リビスニグリ（モズレー）（Ｎａｓｏｎｏｖｉａ  ｒｉｂｉｓｎｉｇｒｉ（Ｍｏｓｌｅｙ）））は、世界中でレタスに発生する主要な害虫である。この問題は、北西ヨーロッパにおいて７０年代にレタス生産にとって深刻になり始め、ヨーロッパ中に急速に広がった。８０年代に、該アブラムシはカナダで検出された。その後、この問題は、アメリカ合衆国（カリフォルニアおよびアリゾナ）において報告された。最近になって、レタスアブラムシは、ニュージーランドおよびオーストラリアにおいて見出された。
【０００３】
レタスアブラムシは、あらゆる植物段階のレタス植物にコロニーを作ることができ、好ましくは、より若い葉から食べる。植物上の大量のアブラムシは、植物生長を減少させ、球（ｈｅａｄ）の形状を変形させることができ、その結果、レタスの球が売り物にならなくなる。レタス球における大量のアブラムシの存在は、小売業者が生産者からレタスを買うのを断る理由になる。幼植物段階において、殺虫剤を用いてレタスアブラムシを防除することは可能である。アブラムシ集団を防除するのに有効ないくつかの製品が報告された。しかしながら、いくつかのアブラムシ集団において、化学物質に対する耐性が報告された。さらに、成熟時には、化学製品はレタスの球の中に侵入することができないので、殺虫剤を用いてアブラムシを防除することはできない。
【０００４】
レタスアブラムシを防除するために最も価値のある戦略の一つは、遺伝的耐性である。広範囲な遺伝子バンクスクリーニングが実施され、いくつかのラクツカ・ビロサ（Ｌａｃｔｕｃａ  ｖｉｒｏｓａ）アクセッションがナソノビア・リビスニグリに対して完全に耐性であることが見出された。しかしながら、ラクツカ・ビロサは、ハーラン（Ｈａｒｌａｎ）の定義によると、ラクツカ属の遺伝資源の第二の遺伝子プールにある。したがって、これらの種間交雑は不稔性であり、耐性をラクツカ・サティバ（Ｌ．ｓａｔｉｖａ）に移入するには、橋渡し種（例えば、ラクツカ・セリオラ（Ｌ．ｓｅｒｒｉｏｌａ））の使用が必要であった。遺伝子分析は、ナソノビア・リビスニグリに対する耐性がラクツカ・サティバ背景における単一の優性遺伝子（Ｎｒ遺伝子）によって制御されることを示した。
【０００５】
しかしながら、育種家は、レタスアブラムシに耐性のある品種の放出が簡単ではないことを経験した。Ｎｒ−耐性遺伝子は、強い多面的効果（ｐｌｅｉｏｔｒｏｐｉｃ  ｅｆｆｅｃｔ）を付与する劣性遺伝子に密接に関連することが見出された。かかる植物は、生長の減少、薄い緑色および種子セットにおける稔性の欠如を示した。大きなサイズの子孫および分子マーカーを使用することにより、ライク・ズワーンのレタス育種家は、負の副作用の表現型を伴わずに耐性組換え植物を見出すことが可能となった。
【０００６】
この知見の後、ナソノビアに耐性の品種の放出が益々重要になった。該耐性形質（ｔｒａｉｔ）は、加工工業のため、また生鮮市場のための野外レタス生産にとって主要な必要条件となった。最近になって、ナソノビアへの部分耐性が、一つのラクツカ・セリオラアクセッションＰＩ４９１０９３において報告された（Ｍｃ  Ｃｒｅｉｇｈｔ，  ２００８）。
【０００７】
２００７年に、ナソノビア・リビスニグリに耐性の品種に感染可能なレタスアブラムシの集団がヨーロッパの４つの地域（フランス、ドイツ、ベルギーおよびオーストリア）で発見された。４つの単離株（フランスから２つ、ドイツから２つ）がさらにＮａｋｔｕｉｎｂｏｕｗ（オランダ園芸検疫所（Ｎｅｔｈｅｒｌａｎｄｓ  Ｉｎｓｐｅｃｔｉｏｎ  Ｓｅｒｖｉｃｅ  ｆｏｒ  Ｈｏｒｔｉｃｕｌｔｕｒｅ））で分析され、それらは、新規なナソノビア・リビスニグリ バイオタイプの存在を結論づけた。このバイオタイプは、公式にＮｒ：１と名付けられ、Ｎｒ耐性遺伝子を克服することができる。Ｎｒ：０バイオタイプは、まだ、Ｎｒ遺伝子によって有効に防除することができる。Ｎａｋｔｕｉｎｂｏｕｗはまた、ＩＶＴ２８０、Ｎｒ：０耐性の供給元が、それらの試験において感受性であることを報告した。
【発明の概要】
【発明が解決しようとする課題】
【０００８】
実際問題として、Ｎｒ：１バイオタイプによるＮｒ遺伝子の突破（ｂｒｅａｋｔｈｒｏｕｇｈ）の後、Ｎｒ：１バイオタイプに対する耐性を発見する必要があった。
【課題を解決するための手段】
【０００９】
本発明につながる研究にて、それらのゲノムにおいて耐性をもたらす遺伝的決定因子（ｇｅｎｅｔｉｃ  ｄｅｔｅｒｍｉｎａｎｔ）によって、Ｎｒ：１に対して耐性である、新規なレタス植物が開発された。該耐性は、驚くべきことに、ラクツカ・セリオラ（Ｌａｃｔｕｃａ  ｓｅｒｒｉｏｌａ）において見出された。ラクツカ・セリオラは、ナソノビア・リビスニグリに対して耐性であることが今まで報告されることはなかった。
【００１０】
本発明はそれゆえ、シードロット（ｓｅｅｄｌｏｔ）１０Ｇ．９１３５６９の種子、その代表種子（ｒｅｐｒｅｓｅｎｔａｔｉｖｅ  ｓｅｅｄ）は寄託受託番号ＮＣＩＭＢ４１７６３の下に、ＮＣＩＭＢ  Ｌｔｄ，Ｆｅｒｇｕｓｏｎ  Ｂｕｉｌｄｉｎｇ，Ｃｒａｉｂｓｔｏｎｅ  Ｅｓｔａｔｅ，Ｂｕｃｋｓｂｕｒｎ，Ａｂｅｒｄｅｅｎ  ＡＢ２１  ９ＹＡ，ＵＫに、２０１０年９月２９日に寄託された、から生長する植物において見出されるＮｒ：１耐性を有する、レタス（ラクツカ・サティバ）植物を提供する。
【発明を実施するための形態】
【００１１】
一実施形態では、本発明はそれゆえ、ナソノビア・リビスニグリ（ｒｉｂｉｓｉｎｇｉ）  バイオタイプ１（Ｎｒ：１）に対する耐性を付与する遺伝的決定因子をそのゲノムに有するレタス植物（ラクツカ・サティバ  Ｌ．）であって、その遺伝的決定因子が、種子、その代表サンプルはＮＣＩＭＢ受託番号ＮＣＩＭＢ４１７６３の下に寄託された、に存在する、レタス植物に関する。
【００１２】
本発明はまた、ナソノビア・リビスニグリ  バイオタイプ１（Ｎｒ：１）に対する耐性の源としてのラクツカ・セリオラの使用に関する。耐性をもたらし、そのため耐性の源と考えられる、該遺伝的決定因子は、好ましくは、遺伝子移入により感受性のレタス植物（ラクツカ・サティバ）へ導入される。
【００１３】
本発明はさらに、ラクツカ・セリオラ植物をラクツカ・サティバ植物と交雑することにより獲得できる、ナソノビア・リビスニグリ  バイオタイプ１（Ｎｒ：１）に対して耐性である、ラクツカ・サティバ植物に関する。
【００１４】
それらのさらなる態様によると、本発明は、特許請求される植物の子孫、特許請求される植物の種子および特許請求される植物の部分を提供する。
【００１５】
一実施形態では、本発明は、Ｎｒ：１に対して耐性のレタス植物であって、前記耐性は、植物、その代表種子は受託番号ＮＣＩＭＢ４１７６３の下に、ＮＣＩＭＢに寄託された、からの遺伝子移入により獲得できる、レタス植物に関する。
【００１６】
一実施形態では、本発明は、Ｎｒ：１に対して耐性のレタス植物であって、前記耐性は、植物、その代表種子は受託番号ＮＣＩＭＢ４１７６３の下に、ＮＣＩＭＢに寄託された、から遺伝子移入される、レタス植物に関する。本明細書中用いられる「遺伝子移入」とは、交雑および選択によって、Ｎｒ：１耐性を担持しない植物中へのＮｒ：１耐性の導入を意味することが意図される。遺伝子移入は、１回の交雑だけに限定されず、該植物が耐性になるために、好ましくは安定に耐性になるために必要な最小限の世代数を包含する。
【００１７】
一実施形態では、本発明は、Ｎｒ：１感受性のレタス植物を、植物、その代表種子はＮＣＩＭＢ受託番号４１７６３の下に、ＮＣＩＭＢに寄託された、と交雑し、ナソノビア・リビスニグリ  バイオタイプ１（Ｎｒ：１）に対して耐性である植物を、好ましくは、交雑のＦ２子孫において、選択することにより獲得できる、Ｎｒ：１に対して耐性である、レタス植物に関する。
【００１８】
一実施形態では、本発明は、Ｎｒ：１に対して耐性であるレタス植物であって、その植物が、レタス植物を、シードロット１０Ｇ．９１３５６９、その代表種子はＮＣＩＭＢ受託番号４１７６３の下にＮＣＩＭＢに寄託された、から生長する植物と交雑し、ナソノビア・リビスニグリ  バイオタイプ１（Ｎｒ：１）に対して耐性である植物を、Ｆ１を自家受粉した後に獲得される、交雑のＦ２子孫において、選択することにより獲得できる、レタス植物に関する。
【００１９】
一実施形態では、本発明は、ナソノビア・リビスニグリ  バイオタイプ１（Ｎｒ：１）に対する耐性を付与する遺伝的決定因子をそのゲノムに有するレタス植物であって、その植物が、シードロット１０Ｇ．９１３５６９の種子、その代表種子はＮＣＩＭＢ受託番号４１７６３の下にＮＣＩＭＢに寄託された、から生長する植物を別の植物と交雑し、ナソノビア・リビスニグリ  バイオタイプ１（Ｎｒ：１）に対して耐性である植物を、好ましくは、交雑のＦ２子孫において、選択することにより獲得できる、レタス植物を提供する。
【００２０】
一実施形態では、本発明は、感受性のコントロール植物と比べてＮｒ：１に対して耐性であり、かつ、ナソノビア・リビスニグリ  バイオタイプ１（Ｎｒ：１）に対する耐性を付与する遺伝的決定因子をそのゲノムに有するレタス植物であって、その植物が、レタス植物を、シードロット１０Ｇ．９１３５６９の種子、その代表種子はＮＣＩＭＢ受託番号４１７６３の下にＮＣＩＭＢに寄託された、から生長する植物と交雑し、Ｎｒ：１に対して耐性である植物を、Ｆ１を自家受粉した後に獲得される、交雑のＦ２子孫において、選択することにより獲得できる、レタス植物を提供する。
【００２１】
寄託された材料のゲノムに存在する耐性形質または遺伝的決定因子は、劣性遺伝と一致する様式で移入され、またそのため、選択は、Ｆ１を自家受粉した後に獲得される第二世代（Ｆ２）子孫において、適切に行われる。
【００２２】
一実施形態では、本発明はさらに、Ｎｒ：１に対して耐性であるレタス植物であって、前記植物が前記形質に関してホモ接合体であり、また、前記形質に関してホモ接合体である前記植物が、前記形質に関してホモ接合体であるテスター植物と交雑される場合、前記交雑から生じる第一世代の子孫の植物が、Ｎｒ：１に対する耐性について１：０の分離を示す、レタス植物に関する。
【００２３】
一実施形態では、前記第一世代の子孫の前記植物が自家受粉される場合、生ずる第二世代の子孫の植物は、Ｎｒ：１に対する耐性について１：０の分離を示す。一実施形態では、テスター植物は、ＮＣＩＭＢ受託番号４１７６３の下に、ＮＣＩＭＢに寄託された種子から生長したレタス植物である。
【００２４】
一実施形態では、テスター植物は、ＮＣＩＭＢ受託番号４１７６３の下に、ＮＣＩＭＢに寄託された種子から生長した植物、またはＮｒ：１に対して耐性である前記植物の子孫である。
【００２５】
一実施形態では、本発明のレタス植物は、ネガティブな多面的効果を本質的には示さない。
【００２６】
本発明はさらに、本発明のレタス植物の種子に関し、また、有性生殖に適した植物の他の部分、すなわち繁殖材料に関する。かかる部分は、例えば、小胞子（ｍｉｃｒｏｓｐｏｒｅ）、花粉（ｐｏｌｌｅｎ）、子房（ｏｖａｒｙ）、胚珠（ｏｖｕｌｅ）、胚のう（ｅｍｂｒｙｏ  ｓａｃ）および卵細胞（ｅｇｇ  ｃｅｌｌ）からなる群から選択される。
【００２７】
一実施形態では、レタス植物の種子であって、該種子から生長するレタス植物は、そのゲノムにおける、ナソノビア・リビスニグリ  バイオタイプ１（Ｎｒ：１）に対する耐性を付与する遺伝的決定因子の存在の結果として、Ｎｒ：１に対して耐性であって、その決定因子がＮＣＩＭＢ受託番号４１７６３を有する種子に存在する、種子が提供される。
【００２８】
一実施形態では、有性生殖に適した、本発明の植物の繁殖材料、特に、小胞子、花粉、子房、胚珠、胚のうおよび卵細胞であって、該繁殖材料は、ＮＣＩＭＢ受託番号４１７６３を有する種子に存在する、ナソノビア・リビスニグリ  バイオタイプ１（Ｎｒ：１）に対する耐性を付与する遺伝形質（ｇｅｎｅｔｉｃ  ｔｒａｉｔ）を担持する、繁殖材料が提供される。さらに、本発明は、無性生殖（ｖｅｇｅｔａｔｉｖｅ  ｒｅｐｒｏｄｕｃｔｉｏｎ）に適した植物の部分、特に、本発明のレタス植物の挿し木、根、茎、細胞、プロトプラスト、および組織培養物に関する。組織培養物は再生可能な細胞を含む。かかる組織培養物は、葉、花粉、胚、子葉（ｃｏｔｙｌｅｄｏｎ）、胚軸、分裂組織細胞、根、根端（ｒｏｏｔ  ｔｉｐ）、葯、花、種子および茎に由来しうる。
【００２９】
一実施形態では、無性生殖に適した、本発明の植物の植物部分、特に、挿し木、根、茎、細胞、プロトプラスト、および組織培養物であって、該繁殖材料は、ＮＣＩＭＢ受託番号４１７６３を有する種子に見出される、ナソノビア・リビスニグリ  バイオタイプ１（Ｎｒ：１）に対する耐性を付与する遺伝形質を担持する、植物部分が提供される。
【００３０】
本発明はまた、本発明のレタス植物の子孫に関する。かかる子孫は、本発明の植物またはその子孫植物の有性生殖または無性生殖によって生産され得る。
【００３１】
再生された子孫植物は、その代表種子（ｒｅｐｒｅｓｅｎｔａｔｉｖｅ  ｓｅｅｄ）がＮＣＩＭＢ受託番号ＮＣＩＭＢ４１７６３の下に寄託された植物と同一の、Ｎｒ：１に対する耐性のための遺伝的基盤（ｇｅｎｅｔｉｃ  ｂａｓｉｓ）を有する。このことは、該遺伝的基盤がホモ接合体である場合に、かかる子孫が本発明のレタス植物について主張されるのと同じ特徴を有することを意味する。該遺伝的基盤がヘテロ接合体で存在する場合、該子孫は本発明の植物において存在するＮｒ：１に対する耐性を示さないが、Ｎｒ：１耐性の原因となる対立遺伝子を含有し、それゆえ、まだなおＮｒ：１耐性の源である。
【００３２】
一実施形態では、本発明の植物または種子の子孫であって、その子孫が、そのゲノムにおける、ＮＣＩＭＢ受託番号４１７６３を有する種子において存在する、ナソノビア・リビスニグリ  バイオタイプ１（Ｎｒ：１）に対する耐性を付与する遺伝形質の存在の結果として、Ｎｒ：１に対して耐性である、植物または種子の子孫が提供される。
【００３３】
この他に、該植物は、既に存在するＮｒ：１耐性に加えて、一以上の他の特徴において修飾されていてもよい。かかる付加的な修飾は、例えば、変異誘発によって、または導入遺伝子での形質転換よってもたらされる。あるいは、Ｎｒ：１耐性以外の特徴における修飾は、Ｎｒ：１耐性を異なる背景において導入することによって導入され得る。最初の場合、耐性植物をオリジナル植物としてとらえ、修飾する。後者の場合、該耐性を別の植物、特に感受性の植物に移入する。さらなる育種（ｂｒｅｅｄｉｎｇ）を介して、他の特徴の修飾も起こりうる。
【００３４】
本明細書中で用いられる、「子孫（ｐｒｏｇｅｎｙ）」なる用語は、Ｎｒ：１耐性である本発明の植物との交雑由来の子孫（ｏｆｆｓｐｒｉｎｇ）または第１世代および全てのさらなる子孫（ｄｅｓｃｅｎｄａｎｔ）を意味することが意図される。本発明の子孫は、特に、ＮＣＩＭＢ受託番号４１７６３で寄託された種子のゲノムに存在する遺伝的決定因子によりもたらされる、Ｎｒ：１耐性を担持する本発明の植物との任意の交雑の子孫である。好ましくは、子孫植物もまた、耐性である。
【００３５】
「子孫」は、また、無性繁殖（ｖｅｇｅｔａｔｉｖｅ  ｐｒｏｐａｇａｔｉｏｎ）または増殖（ｍｕｌｔｉｐｌｉｃａｔｉｏｎ）によって本発明の他の植物から得られた本発明のＮｒ：１耐性を担持する植物を包含する。
【００３６】
一実施形態では、本発明は、Ｎｒ：１に対して耐性であり、かつ、常套的な育種、または遺伝子改変、特に、シス発生（ｃｉｓｇｅｎｅｓｉｓ）もしくはトランス発生（ｔｒａｎｓｇｅｎｅｓｉｓ）のいずれかによって、適した源からの、形質の原因となる遺伝情報（すなわち遺伝的決定因子）の導入により、前記形質を獲得した、本発明の形質を担持するレタス植物に関する。シス発生は、作物植物自体または生殖的に適合性の（ｓｅｘｕａｌｌｙ  ｃｏｍｐａｔｉｂｌｅ）ドナー植物からの（農業）形質をコードする天然の遺伝子による植物の遺伝子改変である。トランス発生は、非交雑可能種からの遺伝子または合成遺伝子による植物の遺伝子改変である。
【００３７】
一実施形態では、遺伝情報または決定因子が獲得される源は、寄託された種子から生長した植物またはそれら由来の有性または無性生殖子孫によって形成される。
【００３８】
本発明は、さらに、雑種種子（ｈｙｂｒｉｄ  ｓｅｅｄ）、および第一の親植物を第二の親植物と交雑し、その結果得られた雑種種子を収穫することを含む、雑種種子の生産方法に関する。該雑種種子が本発明のＮｒ：１耐性を発現するためには、親植物の少なくとも１つは、Ｎｒ：１耐性に関してホモ接合体である必要があるが、他の特徴については、必ずしも同型であるとは限らない。
【００３９】
本発明は、また、本発明の植物の遺伝資源（ｇｅｒｍｐｌａｓｍ）に関する。遺伝資源は、生物の全ての遺伝形質によって構成され、本発明によれば、少なくとも、本発明の形質、すなわちＮｒ：１に対する耐性をもたらす遺伝形質を包含する。
【００４０】
本発明はさらに、Ｎｒ：１に対して耐性であるレタス植物の細胞に関する。かかるレタス植物の各細胞は、前記形質の表現型発現を導く遺伝情報または遺伝的決定因子を担持する。細胞は個々の細胞であってもよいし、レタス植物あるいはレタス植物部分の部分であってもよい。
【００４１】
本発明はさらに、特許請求されるＮｒ：１耐性レタス植物の球に関する。
【００４２】
一実施形態では、本発明は、請求項１〜５のいずれか一項において特許請求されるレタス植物の球であって、そのレタス植物が、そのゲノムにおける、ナソノビア・リビスニグリ  バイオタイプ１（Ｎｒ：１）に対する耐性を付与する遺伝的決定因子の存在の結果として、ナソノビア・リビスニグリ  バイオタイプ１（Ｎｒ：１）に対して耐性であり、その決定因子はＮＣＩＭＢ受託番号４１７６３を有する種子に存在する、レタス植物の球を提供する。
【００４３】
本発明は、さらに、Ｎｒ：１耐性レタスの球またはその部分を含む食品に関する。特に、該食品は、レタス植物の葉またはその部分を含む。該食品は、例えば、本発明のレタス植物の葉を含むサラダまたはサラダ混合物である。
【００４４】
本明細書において、「Ｎｒ：１耐性」なる用語は、ホモ接合体状態においてナソノビア・リビスニグリ  バイオタイプ１（Ｎｒ：１）に対してもはや感受性ではない植物を誘導する遺伝情報（特に、遺伝子（単数）、遺伝子（複数）、遺伝子座（単数）、遺伝子座（複数）、対立遺伝子（単数）または対立遺伝子（複数））であって、その耐性が、その代表種子が受託番号ＮＣＩＭＢ４１７６３の下に寄託された植物のゲノムにおいて、特に、その寄託された種子から生長した植物において見出される、遺伝情報を有することを意味することが意図される。本発明の植物のゲノムに存在する遺伝的決定因子は、ＮＣＩＭＢ受託番号４１７６３を有する寄託された種子から生長した植物における耐性の原因である遺伝的決定因子と、同一または類似である。
【００４５】
「遺伝的決定因子（ｇｅｎｅｔｉｃ  ｄｅｔｅｒｍｉｎａｎｔ）」なる用語は、ナソノビア・リビスニグリ  バイオタイプ１（Ｎｒ：１）への耐性の表現型発現をもたらし、それゆえ耐性表現型の基礎となる、任意の遺伝子（単数）、遺伝子座（単数）もしくは対立遺伝子（単数）、または遺伝子（複数）、遺伝子座（複数）もしくは対立遺伝子（複数）のセットを意味することが意図される。
【００４６】
本発明は、さらに、下記の実施例において説明される。
【実施例１】
【００４７】
幼植物試験のプロトコール
植物がＮｒ：１に対して耐性であるかどうかを試験するために、下記の試験が実施される。
【００４８】
種子を培養土ブロックに播く。一系統（ｌｉｎｅ）あたり２０個体の植物を評価した。播種の２週間後、幼植物の頂部にＮｒ：１バイオタイプのアブラムシを撒くことによって、該植物が接種される。接種の１週間後、試験をスコア付けする。第２および最終のスコア付けは、接種の２週間後に行う。
【００４９】
ナソノビア・リビスニグリ単離株
この実施例で用いられたＮｒ：１単離株は、Ｎｒ：０耐性品種Ｅｓｔｅｌｌｅ（Ｎｕｎｈｅｍｓ）：サンプル２７９において、ケーニンゲン（Ｋｏｅｎｉｎｇｅｎ）（ドイツ）から２００７年にサンプリングされた。該アブラムシ単離株は、Ｋｉｔａｒｅ品種（Ｎｒ：０耐性品種，ライク・ズワーン）において維持される。
【００５０】
感受性のレタスへのＮｒ：１耐性の導入
雌性植物として用いる感受性のレタス品種ラクツカ・サティバと雄性植物として用いるラクツカ・セリオラとの交雑が実施された。Ｆ１種子が播かれ、Ｆ２世代が獲得された。この後、１５０個のＦ２種子を播き、繁殖させ、１５０種のＦ３系統を生成した。これらから、１００種のＦ３系統をＮｒ：０およびＮｒ：１試験に含めた。
【００５１】
Ｆ３系統０９Ｄ．８５７０２２は２００８年に耐性であると見出され（試験０８Ｄ．８４６において）、その結果は２００９年に確認された（試験０９Ｄ．８４６において）。試験０８Ｄ．８４６から、３種の耐性植物が選択された。このＦ３系統もＮｒ：０に対して試験され、この系統は罹病性反応（ｓｕｓｃｅｐｔｉｂｌｅ  ｒｅａｃｔｉｏｎ）を示した。該３種の耐性Ｆ３植物から生じる３種のＦ４系統（０９Ｄ．８６１２６６、０９Ｄ．８６１２６７および０９Ｄ．８６１２６８）が、次いで、試験０９Ｄ．８４１においてＮｒ：１に対して試験され、該３種の系統は耐性の挙動を示した。０９Ｄ．８６１２６６から、４種のＦ５植物が選択された。それら４種のＦ５系統（０９Ｄ．８７３４１７、０９Ｄ．８７３４１８、０９Ｄ．８７３４１９および０９Ｄ．８７３４２０）は、次いで、試験０９Ｄ．８４６に含められ、それらの全てが耐性反応を示した。系統０９Ｄ．８７４３１７から、１０種の植物がこの試験から選択された。該１０種のＦ６系統が１０Ｄ．８３１において試験され、全ての系統が耐性であると検出された。該１０種の系統をバルクとして、種子寄託、１０Ｇ．９１３５６９のためのシードロットを獲得した。
【００５２】
Ｎｒ：１耐性ラクツカ・サティバ１０Ｇ．９１３５６９植物（本明細書において「ドナー」と呼ぶ）を用いて、感受性レタス品種にＮｒ：１耐性を遺伝子移入した。
【００５３】
該ドナーを栽培感受性レタス品種に交雑した。種々のレタス型に属する栽培品種が用いられた。獲得されたＦ１は自家受粉された。次いで、異なるＦ２集団を上述のＮｒ：１耐病性試験に供した。該試験の最後に、さらなる展開のため、Ｎｒ：１耐性植物が選択された。
【国際調査報告】
2013544093.tif 000002
2013544093.tif 000003
2013544093.tif 000004